(57)【要約】      （修正有）【課題】和服腰帯又は居合道腰帯を装着するもので腰帯が常に適度な前下がりで固定保持され着付け状態を端正に維持し、居合道着の場合は居合刀を適正な水平度に帯刀する腰帯用補助下帯を提供する。【解決手段】居合道着又は和服の腰帯を装着するために補助する腰帯用補助下帯であって、下帯本体の外側において、腹側と背側の各々に直接又はストッパー装着布を介してストッパー面を下向きにした腹側ストッパーとストッパー面を上向きにした背側ストッパーを装着し、下帯本体の右側又は左側に着脱用の連結具を設けたことを特徴とする腰帯用補助下帯。居合道着の腰帯用補助下帯は、前記腹側ストッパーと背側ストッパーの他に、下帯本体の右側に着脱用の連結具を設け、下帯本体の左側に鞘受け装着板を装着し、鞘受け装着板に居合刀の鞘を受ける鞘受けを装着し、鞘受けは上部に上向きにした鞘受面を形成したことを特徴とする。【選択図】図１５
0003172484.tif 000002
【実用新案登録請求の範囲】
【請求項１】
居合道着又は和服の腰帯を装着するために補助する腰帯用補助下帯であって、下帯本体の外側において、腹側と背側の各々に直接又はストッパー装着布を介してストッパー面を下向きにした腹側ストッパーとストッパー面を上向きにした背側ストッパーを装着し、下帯本体１の右側又は左側に着脱用の連結具を設けたことを特徴とする腰帯用補助下帯。
【請求項２】
居合道着の腰帯を装着するために補助する腰帯用補助下帯であって、前記連結具は前記下帯本体の右側に設け、前記下帯本体の左側に鞘受け装着板を装着し、鞘受け装着板に居合刀の鞘を受ける鞘受けを装着し、鞘受けは上部に上向きにした鞘受面を形成したことを特徴とする請求項１に記載の腰帯用補助下帯。
【請求項３】
前記下帯本体の腹側を覆う前垂れと前垂れに連結する前垂れ紐を有し前垂れには前垂れ紐の通し穴と前垂れの上部に下帯本体の腹側上端に掛けるフックを具備してなる下帯固定用前垂れを具備したことを特徴とする請求項１又は請求項２に記載の腰帯用補助下帯。
【考案の詳細な説明】
【技術分野】
【０００１】  本考案は居合道着や和服等を装服の際、腰帯の保持用として腰帯の下に装着する腰帯用補助下帯に関するものである。
【背景技術】
【０００２】  居合道の実践装備は、居合道着を着用し更に腰帯として居合帯を締め、この上に袴を穿き、居合帯に居合刀を帯刀しておこなわれる。
このため居合道は、高価な居合刀をはじめとする居合道着一式が必須とされ、居合道に興味を持つ人がいたとしても、現代社会の一般的スポーツとして普及され難い一面がある。したがって居合道は現代人には近寄り難い武道となっている。【０００３】  しかし、平成２４年から中学校に「武道教育」が必修科目となることが決まっており、「剣道」「柔道」「相撲」が主たる教科となるが、「剣居一体」と言われている居合道も対策が必要であり、居合道着一式が無くても居合道の稽古を可能とする必要性が大いに高まってきた。【０００４】  また、居合道は対敵動作が根底にあり、そのための足・腰の使い方が技術面での大きな要素となっているが、袴を穿いていては足・腰が内に隠れて見えないため、本人の自覚は元より指導面での難しさがあった。【０００５】  一方公の場での居合道の演技は、居合道着一式の上に居合刀を帯刀して行うことになっており、演技時は最後まで居合刀の帯刀の水平度が求められる等確実な装着保持が要求される。
そのため居合道の帯（居合帯）は、居合道着を着た上に腰部から骨盤近傍を経て腹側の臍下に廻して締め、この後に袴を穿き居合帯の左体側部に居合刀の鞘を交差させた状態に帯刀して行うが、この居合帯は、腹部が細い人は締め初めは前下がり状態であっても演技を重ねる内に徐々にずり上がり、前後とも同じ高さになってしまうので帯刀の水平状態を保つことが難しくなるという問題があった。【０００６】  一方、男性の和服の着付けは一般に和服を着て帯をし、羽織袴をして正装とする。場合により和服を着た上に帯をしたままの粋な着流し風にすることも多い。
そこで帯は、正装及び着流しを問わず一般に、腰部から骨盤近傍を経て腹側の臍下に廻した所謂前下がり締めにすることにより端正な和服の着付けと看做される。
しかしながらこれらの帯は前述の居合帯同様、腹部が細い人は締め初めは前下がり状態であっても動作中に緩み、締め位置が徐々に上り前後とも同じ高さになってしまうので不格好な姿に着崩れしてしまい端正さを喪失するという問題があった。
【先行技術文献】
【特許文献】
【０００７】
【特許文献１】特開平９−１１１５２４
【特許文献２】特開２００３−１５５６２５
【特許文献３】特開２００３−２６８６０５
【特許文献４】特開２００９−４１１１８
【考案の概要】
【考案が解決しようとする課題】
【０００８】  本考案が解決しようとする第一の課題は、現代社会に一般的に利用されない特殊な居合道着一式を着用しなくても、スポーツウエア姿の状態で居合刀を帯刀して居合道の演技を可能にする点にある。【０００９】  第二の課題は、居合道着に袴を穿いて演技するに当たって、居合刀の帯刀を水平状態に安定維持する点にある。【００１０】  第三の課題は、特に男性の和服着装において、帯が常に適度な前下がりで固定された端正な着付け状態を保持する点にある。
【課題を解決するための手段】
【００１１】  本考案はこれらの課題を全て満足する優れた帯用補助下帯でありその特徴とする技術条件は次の（１）〜（３）の通りである。
（１）、居合道着又は和服の腰帯を装着するために補助する腰帯用補助下帯であって、下帯本体の外側において、腹側と背側の各々に直接又はストッパー装着布を介してストッパー面を下向きにした腹側ストッパーとストッパー面を上向きにした背側ストッパーを装着し、下帯本体１の右側又は左側に着脱用の連結具を設けたことを特徴とする腰帯用補助下帯。
（２）、居合道着の腰帯を装着するために補助する腰帯用補助下帯であって、前記連結具は前記下帯本体の右側に設け、前記下帯本体の左側に鞘受け装着板を装着し、鞘受け装着板に居合刀の鞘を受ける鞘受けを装着し、鞘受けは上部に上向きにした鞘受面を形成したことを特徴とする前記（１）に記載の腰帯用補助下帯。
（３）、前記下帯本体の腹側を覆う前垂れと前垂れに連結する前垂れ紐を有し前垂れには前垂れ紐の通し穴と前垂れの上部に下帯本体の腹側上端に掛けるフックを具備してなる下帯固定用前垂れにより下帯本体の装着位置を固定したことを特徴とする前記（１）又は前記（２）に記載の腰帯用補助下帯。【００１２】  本考案の（１）および（２）の特徴において、下帯本体に対する腹側ストッパーと背側ストッパーの装着手段は、下帯本体に直接装着するが、ストッパー装着布を介して装着するが、下帯本体に直接装着の場合は、上下及び／又は左右に移動可能に装着してよく、また単に固定装着してよい。
腹側ストッパーと背側ストッパーをストッパー装着布を介して下帯本体に装着する手段は、当該ストッパーをストッパー装着布に上下及び／又は左右に移動可能に装着してよく、或いは単に固定装着してよい。
下帯本体に対する前記ストッパー装着布の装着手段は、ストッパー装着布を下帯本体にその左右（長さ方向）及び／又は上下に位置調節可能に装着してよく、或いは単に固定装着してよい。【００１３】本考案の（２）の特徴において、下帯本体に対する鞘受け装着板の装着手段は、鞘受け装着板を下帯本体の長さ方向に位置調節可能に装着してよく、或いは単に固定装着してよい。
また鞘受け装着板に対する鞘受けの装着手段は、鞘受け装着板に上下及び／又は左右に移動可能に装着してよく、或いは単に固定装着してよい。
また前記各装着手段の具体例は、後述の考案を実施するための形態及び実施例において公知慣用手段の例を羅列して種々紹介する。これらの例は本考案の核心手段とするものでないので、特に限定されるものでなく適宜に選択して採用すればよい。
【考案の効果】
【００１４】  本考案の腰帯用補助下帯は、前記特徴の構成により次に列挙する優れた効果を呈する。
＜前記特徴の構成（１）による効果＞
１．主に、男性の和服の着用に於いて「腰帯用補助下帯を活用した場合」は、腰帯の締め付け位置が程良く一定に保たれ、和服の着崩れを防止するので常に端正な服装を保つことが可能となる。
勿論「この構成の腰帯用補助下帯を居合道用に活用する場合」は、居合刀の鞘受けを保持する鞘受装着板を欠如しているが、居合道用の腰帯の締め付け位置を程良く一定に保ち居合道着の着崩れを確実に防止する。【００１５】＜前記特徴の構成（２）による効果＞
１．前記特徴の構成（２）により「腰帯用補助下帯を居合道用に活用する場合」は、その効果の第１点として、トレーニングウエア等着用のまま居合道の稽古が出来ることにある。その結果例えば、居合道に興味を持つ人に模擬刀と下帯と居合帯を貸し与えて簡単に居合道を体験させることが可能であるし、初心者が現代社会に一般的でない特殊な居合道着一式をわざわざ購入しなくてもかなり長い期間トレーニングウエア姿の状態で稽古をさせることが可能となるので、現代人には近寄りがたい居合道に導きやすくなる。
特に、小・中学生等への指導に最適な用具となり得る。
又、トレーニングウエア等着用のまま帯刀出来ることに関しては、普通の刀を帯刀して行う演劇の役者や、剣舞等の稽古にも活用可能である。【００１６】２．また「腰帯用補助下帯を居合道用に活用する場合」は、その効果の第２点として、トレーニングウエア等着用の状態で稽古できるので、初心者のみならず高段者でも足・腰の状態を確認しながら稽古或いは指導が出来ることである。居合道に於いては、対敵動作での足・腰の使い方は大変重要な要素であるが、従来は袴の内にあるため見え難く本人の自覚は元より指導の行き届き難い部分であった。
即ち指導上のポイントとしては
１）．居合腰になっていること。
２）．ひかがみを伸ばしていること。
３）．体重を前足にかけすぎてないこと。
４）．撞木足・鉤足や、外股に踏んでないこと。
５）．後ろ足の踵を上げすぎていないこと。
６）．必要以上に歩幅を広げたり、狭めたりしていないこと。
７）．右足を軸に左回りに回って後の敵に振り向く動作等があるが、右足を軸にしっかり回っていること。
等があり、これらによりトレーニングウエア等着用の状態で居合道の稽古が可能になることから詳細に目が届き、指導者からの指摘は勿論本人自身も容易に確認できるようになるので、自得度も高まりレベル向上に大きく寄与することとなる。【００１７】３．更に、居合道着一式を着用しての居合道演武においては居合刀の帯刀状態を常に水平レベルに保つことが求められるが、激しい動きを繰り返す過程で居合帯の緩み等が生じ、鞘の末端部が下がることが多い。
「腰帯用補助下帯を居合道用に活用する場合」は、その効果の第３点として、腰帯用補助下帯を締めた上に捲いた居合帯の腹側と背側の高低差が大きくなることと、特に居合帯の腹側締め位置が一定に保たれるので居合刀の帯刀の水平保持効果は格段に向上する。【００１８】
【図面の簡単な説明】
【００１９】
【図１】トレーニングウエア３に居合帯１を締めただけで帯刀した場合の左側面図である。
【図２】トレーニングウエア３に本考案の実施例１の腰帯用補助下帯を装着した左側面図である。
【図３】図２に示す腰帯用補助下帯の平面図Ａであり、Ｂはその変形例を示す。
【図４】図３のＡに示す腰帯用補助下帯の展開説明図であり腹側ストッパー５ａを示す図（Ａ）と背側ストッパー５ｂを示す図（Ｃ）と、それらの裏面を示す図（Ｂ）と、下帯本体１にストッパー装着布７ｂを介して背側ストッパー５ｂが取付けられている状況の側断面図を示す図（Ｄ）とを並列記載し、腹側・背側ストッパー５ａ，５ｂの斜視図を図（Ａ）及び図（Ｃ）に併記してある。
【図５】ハト目留め金具２７をハト目パンチ２８でストッパー装着布などに取り付ける順序を示す図である。
【図６】図２と図３に示す腰帯用補助下帯の鞘受部を示す図（Ｂ）と側断面を示す図（Ｃ）と鞘受装着板１０を示す図（Ａ）を併記した説明図である。
【図７】角１８付き鞘受け９の斜視説明図である。
【図８】腰帯用補助下帯に巻き締固定する下帯固定具の全体展開説明図（１）と矢視Ｙ−Ｙからの側断面図（２）である。
【図９】居合用の腰帯用補助下帯を装着した上に図８に示す下帯固定具を巻き締めて固定した状態を示す正面説明図（１）と背面説明図（２）である。
【図１０】トレーニングウエア３の上に居合用の腰帯用補助下帯を装着しその上に下帯固定具を締め付け更に居合道腰帯１を腰帯用補助下帯に締め、居合帯１に居合刀２を帯刀した状況を示す左側面説明図である。
【図１１】居合道着の上に腰帯用補助下帯と下帯固定具と居合道腰帯１を取り付けた状態を示す左側面説明図Ａであり、この後袴を穿いて居合刀２を帯刀した状態を示す左側面説明図Ｂである。
【図１２】実施例２の腰帯用補助下帯であり、和服の帯を身体に装着するに際し、事前に腰帯用補助下帯を装着した状況を示す右側面図である。
【図１３】図１２の腰帯用補助下帯の平面図（Ａ）であり、その一部を拡大して示す詳細図（Ｂ）であり、（Ａ）に示す腰帯用補助下帯の変形例を（Ｃ）に示す。
【図１４】図１２と図１３（Ａ）に示す下帯の展開説明図であり腹側ストッパー５Ａの正面図（Ａ）と背側ストッパー５Ｂの正面図（Ｃ）とそれらの裏面を示す裏面図（Ｂ）と、（Ｃ）の矢視Ｂ−Ｂからの側断面を示す図（Ｄ）を併列記載してある。
【図１５】本考案を実施するための代表的な形態例を数例示す展開説明図である。
【考案を実施するための形態】
【００２０】
【００２１】  而して、本考案を実施するための腰帯用補助下帯の代表的な形態例の展開図を図１５の（１）〜（９）に示す。
ＥＸ１：
図１５の（１）は、和服又は居合道着用の腰帯用補助下帯であり、図に向かって左側から連結具であるシートファスナー式連結具の一方の表面側の微細フック植設布、下帯本体４に直接左右上下調節可能に装着した腹側ストッパー５Ａと背側ストッパー５Ｂ、連結具の他方とするシートファスナー式連結具の微細リング植設布を裏面に、順に設置して展開した図である。
ＥＸ２：
図１５の（２）は、図１５の（１）のタイプと同様の腰帯用補助下帯であり、連結具のみを締め紐式連結具１に変更したものである。
ＥＸ３：
図１５の（３）は、和服又は居合道着用の腰帯用補助下帯であり、図に向かって左側から締め紐式連結具２の一方の紐通し穴１５ａ、ストッパー装着布７Ａに取り付けた腹側ストッパー５Ａ、ストッパー装着布７Ｂに取り付けた背側ストッパー５Ｂ、締め紐式連結具２の他方の連結紐１６ａと紐通し穴１５ａを順に設置して展開した図である。本例の腹側ストッパー５Ａと背側ストッパー５Ｂの形状は図１５の（１）と（２）に示すものと若干異なるが機能は同等である。
ＥＸ４：
図１５の（４）は、図１５の（３）のタイプと同様の腰帯用補助下帯であり、連結具のみをベルトバックル式連結具に変更したものである。
ＥＸ５：
図１５の（５）は図１５の（３）と（４）のタイプと同様の腰帯用補助下帯であり、連結具のみを締め紐式連結具１に変更したものである。
ＥＸ６：
図１５の（６）は、居合道着用の腰帯用補助下帯であり、図に向かって左側から締め紐式連結具２の一方の紐通し穴１５ａ、ストッパー装着布７ａに取り付けた腹側ストッパー５ａ、ストッパー装着布７ｂに取り付けた背側ストッパー５ｂ、締め紐式連結具２の他方の連結紐１６ａと紐通し穴１５ａを順に設置して展開した図である。
ＥＸ７：
図１５の（７）は、図１５の（６）のタイプと同様の居合道着用の腰帯用補助下帯であり、連結具のみを図１５の（１）と同様のシートファスナー式に変更したものである。
ＥＸ８：
図１５の（８）は、図１５の（６）のタイプと同様の居合道着用の腰帯用補助下帯であり、連結具のみを締め紐式連結具１に変更したものである。
以下、本考案の図１４の（４）と（９）にしめす例を実施例１及び実施例２を主体に更に詳細に説明する。
【実施例１】
【００２２】  実施例１は図１〜図１０に示し、トレーニングウエアに本考案の腰帯用補助下帯を使って居合道を実践できる状態に帯刀するまでを示すものである。【００２３】  図１はトレーニングウエア３に居合道用として本考案の腰帯用補助下帯を装着しないまま居合道用腰帯１を巻締めて居合刀２を帯刀した状態を示したもので、居合刀２は当初水平状態に差しても少し動いただけで図のような落し差し状態になりやすく、居合を実践できる態勢にならない。なお、居合刀２の帯に差し込んでいる部分は「鞘」と称し、後述する鞘受け９と密接に関連する。【００２４】  図２はトレーニングウエア着用のままでも居合刀の帯刀を可能とする居合帯の腰帯用補助下帯を装着して、左側面から見た図である。
図２〜図１０において本例の腰帯用補助下帯は、所定幅にした下帯本体４の腹側と背側に、腹側ストッパー５ａと背側ストッパー５ｂをそれぞれストッパー装着布７ａ，７ｂを介して、各ストッパー面６ａ、６ｂを腹側ストッパー５ａにおいては下向きに、背側ストッパー５ｂにおいては上向けて配置し、更に左側部には鞘受板９を鞘受装着板１０を介して装着し、鞘受板９の鞘受面１１を上向きにして配置し、下帯本体４の両端部には、紐通し穴１５ａを設け下帯本体４の連結具である連結紐１６ａにより連結し胴部を締め付ける。なお、連結紐１６ａは背側の下帯本体４の紐通し穴１５ａに紐等で１点を括っておけば、都度外れることがなく利用しやすくなる。【００２５】  下帯本体４の両端部は紐で結ぶ代わりに図３（Ｂ）に示すようにバックル２６で締める方式でも構わない。【００２６】  腹側ストッパー５ａは、ストッパー面６ａを下向きで臍下部分にあり、背側ストッパー５ｂは、ストッパー面６ｂを臍より高い位置に上向きにしている。又、鞘受け９は鞘受け面１１を適度な傾斜角度で上向きに形成し、これら腹側ストッパー５ａの上部、背側ストッパー５ｂの下部、並びに鞘受け９の下部は、居合道着を着用した時に外から突起物として目立つことのないように又違和感が無いようになだらかな傾斜面に成形してある。
又、腹側並びに背側ストッパー５ａ、５ｂのストッパー面６ａ，６ｂの厚みは、共に居合帯の固定を目的とするので、居合帯の厚さ３〜４枚分約１〜１．５ｃｍ程度要する。【００２７】  前記腹側・背側ストッパー５ａ，５ｂ及び鞘受け９の材質は、湾曲変形自在な弾性変形材或いは湾曲しない硬質材等を活用し、ストッパー面６ａ，６ｂ，と鞘受け面１１は平面並びにＵ溝状、フック状、段付状、滑止エンボス状等に成形し、下帯本体の端部の連結具は、締め紐１６ａと紐通し穴１５ａを設けず、下帯本体４の端部そのものをベルト形式にして前記バックル２６等で締める方式でも構わない。或いは、鍵ホック式、ボタン式、ボタンホック式、マジックベルト式、伸縮ベルトと面ファスナー式、或いはこれらを適宜組み合わせたものを採用する。【００２８】  本例の腰帯用補助下帯において刀は左腰に差し、特に抜き付け及び納刀時に前後左右上下に大きく動かすので、腹側ストッパー５ａは臍よりやや右側に装着し、背側ストッパー５ｂも腰椎よりやや右側に装着する。
鞘受け９は左脇腹に配置するが、それぞれは体格により装着位置が異なるので、使用者が実際身につけて確認しながら鞘受装着板１０への装着位置を調節し固定する。【００２９】  腹側ストッパー５ａと背側ストッパー５ｂの位置調整はストッパー装着布７ａ，７ｂへの取り付けの際に行う。図４には腹側と背側ストッパー５ａ，５ｂの斜視図を併記し、図６（Ｂ）（Ｃ）に鞘受け９を示したものである。図４（Ｂ）ではストッパー装着布７ａ，７ｂを裏側で上下から両端同士を糸で縫い合わせ面８ａを作って本体長手方向に摺動可能に装着する。これによりストッパー装着布７ａ，７ｂは体側方向に摺動可能となり体側位置決め穴１３を選択して括り付け糸又はハト目等の留め金具で固定すればよい。
ハト目留め金具は一般に図５の２７に示す公知の構造のものでよい。ハト目留め金具２７はハト目パンチ２８により装着するが、箇所により長さは異なるので数種類用意すればよい。
又、腹側と背側ストッパー５ａ，５ｂのストパー面の反対側、並びに鞘受け９の鞘受け面の反対側はなだらかな傾斜面にするため、ハト目留め金２７の取付には不都合なので、位置決め穴１３の周りをハト目留め金２７のフランジ部が平行に入るように大きめにえぐっておけばよい。
なお、縫い合わせ面８ａと同様にストッパー装着布７ａ，７ｂの上下両端部に並行して直列に穴を多数設け、一本の紐を両端部の穴に交互に通して強く引いて紐の端を結んで固定する方法でもよい。
又、シンプルな取付方法としてはストッパー装着布７ａ，７ｂを取り外して、下帯本体４に腹側・背側ストッパー５ａ，５ｂをそれぞれ位置決め後、直接括る方法もある。
ストッパー装着布７ａ，７ｂには上下位置調整用の選択穴１２も設けてあるので、腹側・背側ストッパー５ａ，５ｂの上下位置も最適穴を選択して固定できる。【００３０】  図６において、鞘受け９と鞘受装着板１０は、刀を帯びた時に可能な限り鞘と隙間が無いように調節しておく必要がある。そのため鞘受け９を固定する鞘受装着板１０に、上下移動と角度調整可能穴１４を穿孔して置くことと、鞘受装着板１０は裏側で合わせ目８ｂにしストッパー装着布７ａ，７ｂと同じく下帯本体４の横方向（長手方向）に摺動可能な構造となっている。【００３１】  鞘受装着板１０は、鞘との接触磨耗が生じるので丈夫な厚いグッズなどの積層織物か樹脂製板にして交換可能にしておけば良い。
鞘受け９は腹側・背側ストッパー５ａ，５ｂより幾分大きく、特に鞘受け面１１の巾と長さは使用者の技術レベルや好みにより大小さまざま作られても良い。
これら腹側・背側ストッパー５ａ，５ｂ及び鞘受け９の材質は、布、木材、プラスチック、ゴム等の硬質または弾性変形材どちらでも構わない。【００３２】  図７には鞘受け９の変形例として角１８を設置したものを示した。この鞘受け９の角１８は、鞘が鞘受け面１１から外れて落ちることを防ぐための安全具で、この角１８があれば、初心者も安心して居合をすることが出来る。【００３３】  腰帯用補助下帯を土台にして居合帯１を締めるに当たっては、居合帯１の一方の端を持って居合帯１の上端縁を腰帯用補助下帯の下帯本体４に取り付いている腹側ストッパー５ａのストッパー面６ａに宛がって後方に回し、背側ストッパー５ｂのストッパー面６ｂには居合帯１の下端縁を宛がう。帯の１巻目は少し強めに締めた後２、３巻目は重ね合わせる程度に捲いて居合帯１の両端部を結び、結び目を後部に回しておく。【００３４】  さて、腹側ストッパー５ａをより有利に活用するための工夫を図８〜図１０に紹介する。
人体の背側では居合帯を巻き締めても臀部の突出で背側のストッパー５ｂは下に下がらないが、腹側では特に細身の人の場合、腹側ストッパー５ａがウエストの括れの関係で抑えの利かない人も多く、演武の途中でずり上がりが発生する場合がある。ずり上がると演武をし難い上に不格好となるし、帯刀の水平度を保てなくなるので甚だ不都合なこととなる。この解消策として、前記腰帯用補助下帯の固定を目的とした下帯固定具を制作した。
図８に示すようにこの下帯固定具３０は、前垂れ１９と前垂れ紐２０から成り、前垂れ１９には前垂れ紐２０の通し穴２１と前垂れの下部を紐で押さえるための下留２２を有し、更に前垂れ１９の表面の上端に下帯本体４に掛けるフック２３を取り付けてある。【００３５】  図９にこの下帯固定具３０を装着した正面図（１）と背面図（２）を示し、更に図１０に居合道腰帯１を巻き締め帯刀した側面図を示す。
この図８と図９により下帯固定具３０の装着法を説明する。
居合道用の腰帯用補助下帯を腰腹部にゆるめに仮装着した後、予め前垂れ紐２０の通し穴２１に前垂れ紐２０を通した状態の前垂れ１９のフック２３を、腹側ストッパー５ａ近傍の下帯本体４の裏側上端に掛ける。次いで下帯本体４の締め紐１６を強めに引いて結び、下帯本体４を固定させてから前垂れ紐２０を下方に強く引いて背部に回して交叉させ、２巻目は前垂れ下留２２の付近を抑える形で強く巻き締めつつ交叉させ、最後は前垂れ紐２０の端を臀部で結ぶ。
このように締めることにより、下帯本体４を腰腹部にしっかり固定出来るので稽古中にずり上がることを防止する。【００３６】  なお、この下帯固定具３０は、実施例３で示す和服用の腰帯用補助下帯の固定にも利用可能である。但し、下帯固定具３０の前垂れ紐２０の末端を臀部で括ると、その上に和服を着た場合に外側から凸部が見えて不都合となるので、和服用に活用する場合は前垂れ紐２０の末端部に面ファスナーを縫いつけて活用するとよい。【００３７】  下帯固定具３０は下帯本体４のずり上がりを防止する役目を負うものなので、パンツ又は猿股のような形状で下から下帯固定具３０を引き下げるような形式にする方式でもよい。【００３８】  図１０は腰腹部に居合道用の腰帯用補助下帯を装着した上に下帯固定具３０を巻き締めて固定し、更に居合道腰帯１を腹側ストッパー５ａ並びに背側ストッパー５ｂのストッパ−面６ａ．６ｂに沿わせて締めた後に居合刀２を帯刀した図である。居合刀２の水平レベルは鞘受け９により程良く保たれる上、居合道演武を縦横無尽に行うことが可能となる。【００３９】図１０と同様にトレーニングウエア３に下帯と下帯固定具３０を装着した後に居合刀２を帯刀して２時間程度稽古と指導をしている。稽古内容は、全日本制の定居合１２本と、古流「夢想神伝流」居合の全て計５３本を１時間程で居合抜きし、残りの時間で師範しながら指導しているが、帯刀状況に崩れはない。指導を受けたメンバーからは足腰がよく見えるので勉強になると評判は大変良く、個人別への注意点も見習いやすいことから上達速度も速まりつつある。【００４０】  図１１のＡとＢには、居合道着と袴Ｈを着用して居合道を実施するに当たって予め腰帯用補助下帯をすることにより、居合刀２の帯刀の水平度を保つ例である。
居合道を行うために、居合道着用の腰帯用補助下帯と下帯固定具３０を装着し居合刀２を帯刀するまでの順序は、居合道着の上に、居合道着用の腰帯用補助下帯を緩く装着しこの上に下帯固定具３０の前垂れ３０を予め取り付けた上で腰帯用補助下帯の腰腹部を締める。
次に腰帯用補助下帯を土台に居合道腰帯１を巻き締める。最後に袴Ｈを穿き居合刀２を帯刀するということになる。【００４１】一．居合道着に本考案の腰帯用補助下帯を活用する場合、鞘受け９並びに鞘受装着板１０は取り外して用いる。本考案の下帯を活用する理由は居合道腰帯がしっかり前下がりになる結果、鞘受け９が無くても帯刀の水平度は格段に向上する故である。
下帯本体４を腰腹部に締めるに当たっては、予め本考案の腰帯用補助下帯に下帯固定具３０の前垂れ１９を取り付けた上で腰腹部に捲き締める。この時は、前垂れ１９だけを下帯本体４に取り付け、前垂れ紐２０は活用しなくてよい。その理由は、袴を身体に装着するために袴の紐を腹部に回して締めるので、袴の紐が前垂れ紐２０の代用となるからである。
居合道着の上に腰帯用補助下帯の下帯本体４を締める方法は、実施例１に記載した方法と同じである。【００４２】二．腰帯用補助下帯を土台にして居合道腰帯を巻き締める方法についても、実施例１と同じである。【００４３】三．袴Ｈを穿くに当たっては、袴Ｈの前側上端を下帯本体４の腹部上端縁に重ね合わせた状態で袴帯を背側に回し、背部では居合道腰帯１の上端縁部で交叉させ直後に袴帯を居合道腰帯１の下側に下げて居合道腰帯１の下側に沿って腹側に持って行き、腰帯用補助下帯に吊下がっている前垂れ１９に袴Ｈの上から宛がって強めに交叉させ、最終的には臀部の居合道腰帯下方で結び合わせる。
しかる後、袴Ｈの後側の腰板下端を居合道腰帯１の後側の上に位置決めしてから、後側の袴帯を前方に回し袴の前で結ぶ。【００４４】四．帯刀するには居合刀２の鞘先端部を臍前に持って行き、袴の上端部から居合帯１の下１枚目と２枚目の間に差し入れ、袴の後側との間から左後方に差し出す。
居合帯１は腰帯用補助下帯を土台に巻くのでしっかりと前下がりになっていることから刀を水平状態に差し込む事が出来る。
【実施例２】
【００４５】  実施例２の腰帯用補助下帯は和服腰帯用の例であり図１２〜図１４に示す。
主に一般男性が和服の着流しをするに当たって予め本例の腰帯用補助下帯をすることにより、腰帯を端正に整える例である。
和服の腰帯は、和服を着た後に男性の腹側においては大方臍下部を通し、背側においては臍より高い位置を通して締める。腰帯用補助下帯は当該和服を着用する前に装着する。
図１２〜図１３（Ａ）（Ｂ）は当該和服を着用する前の段階で、腰帯用補助下帯を装着した状態を示す。和服は、この上に着てから腰帯を巻き締める。
図１２〜図１４において、所定幅にした下帯本体４に、湾曲変形可能な材質で成形した和服用帯の腹側ストッパー５Ａと背側ストッパー５Ｂを配置し、下帯本体４の両端部には実施例１に記載と同じく紐通し穴１５Ａと下帯本体締め紐１６Ａが設けられている。
図１３の（Ｃ）には紐通し穴１５Ａと下帯本体締め紐１６Ａの替わりに下帯本体４の一端部にバックル２６を設けた変形例である。【００４６】  腹側に装着する腹側ストッパー５Ａは臍を中心位置とし、背側ストッパー５Ｂは腰椎を中心位置とする。従ってこれらの腹側ストッパー５Ａと背側ストッパー５Ｂは装着者の腹囲り及び腰周りの大小により個人的に位置調整して位置決めしておく必要がある。
その対策として図１４（Ａ）（Ｃ）に示すようにストッパー装着布７Ａ，７Ｂを設け、ストッパー装着布７Ａ，７Ｂは、（Ｂ）に示すように裏側で上下から下帯本体４を覆って、両端同士で縫い合わせ面８Ａを作り強めの力で左右に摺り動かせる程度に縫い合わせておく。加えて当該ストッパーを上下方向に取付可能とする上下位置選択穴１２により位置決めする。【００４７】  腹側ストッパー５Ａ並びに背側ストッパー５Ｂを位置決めするに当たっては、図１４に示す下帯本体４に、予め取り付けてあるストッパー装着布７Ａとストッパー装着布７Ｂに腹側ストッパー５Ａと背側ストッパー５Ｂのストッパー面６Ａ，６Ｂをそれぞれ下と上に向けて仮付けしておき、下帯本体４を下帯本体締め紐１６Ａにより腰腹部に巻き締め、腹側ストッパー５Ａと背側ストッパー５Ｂをそれぞれ臍並びに腰椎に宛がって位置決定後一旦腰腹部から取り外し、下帯本体４とストッパー装着布７Ａ，７Ｂそれぞれの体側位置決め穴１３に、紐又は留め金で括り付ければよい。
次いで、ストッパー面６Ａ，６Ｂの上下の位置決めをするには、腹部と背部のストッパー５Ａ、５Ｂを体側位置決めした上記下帯本体４を腰腹部に巻き締めた状態の上に、前垂れ１９を実施例１と同様に捲き締め、その上に和服を着装していない状態で和服の腰帯を仮に捲いて腹側と背側のストッパー面６Ａ．６Ｂの位置を確認する。
しかる後、腰帯と下帯本体４を取り外して、下帯本体４に対する腹部と背部のストッパー５Ａ、５Ｂの上下への位置調整を、ストッパー装着布７ａ，７ｂに設けた上下位置選択穴１２への括り紐又は留め金の付け替えにより行う。【００４８】  痩身者の場合、和服用下帯にも下帯固定具は必要であり、取り付け方法は実施例１の記載の通りである。但し前垂れ紐２０の端部を臀部で括ると、その上に和服を着た場合に外側から凸部が見えて不格好になるので、和服用に活用する場合は前垂れ紐２０の末端部に面ファスナーを縫いつけて活用するとよい。【００４９】  和服用の腹側ストッパー５Ａと背側ストッパー５Ｂの場合は臍部並びに腰椎部に装着後上に和服を着用してから帯を締めるので、帯の締め付け見栄えを良くするため、腹側ストッパー５Ａと背側ストッパー５Ｂのストッパー面６Ａ．６Ｂはなだらかな円弧状のものが好ましい。
そして又、下帯本体４が身体に沿って曲がるのと一緒に柔軟に撓う必要があるので、軟質樹脂製、重ね布等の繊維製などの所謂湾曲変形可能な材質で成形したもの等を使用するとよい。【００５０】  日和の良い５月の連休日、下着の上に図１２〜図１４に示す本実施例２の腰帯用補助下帯を装着し、その上に図８に示す下帯固定具３０を装着した後、男性用の和服を着て腰帯を締めて、小学生の孫２人と一緒に散策した。歩行、バスの乗降、公園での遊戯（ぶら下がり、ぶらんこ、シーソー外）をした。ぶら下がり後は着物の裾を引くなどして少々修正したが、その後昼食をとり半日強時間を費やして戻ったが着崩れは殆どなかった。
【産業上の利用可能性】
【００５１】  本考案の腰帯用補助下帯は、前述の通り優れた効果を呈するものであり、居合抜武道者の着用、時代劇や剣舞演技者の必須着用品、一般家庭での和服着付け、和服業界での必須付帯品等々幅広く活用されるもので、この種産業界の発展に貢献すること多大なものとなる。
【符号の説明】
【００５２】１：居合道腰帯又は和服腰帯                １３：体側（左右）位置決め穴
２：居合刀                                １４：上下移動と角度調整穴
３：トレーニングウエア                    １５ａ，１５Ａ：紐通し穴
４：下帯本体                              １６ａ，１６Ａ：下帯本体締め紐
５ａ，５Ａ：腹側ストッパー                １８：角
５ｂ，５Ｂ：背側ストッパー                １９：前垂れ
６ａ，６ｂ，６Ａ，６Ｂ：ストッパー面      ２０：前垂れ紐
７ａ，７ｂ，７Ａ，７Ｂ：ストッパー装着布  ２１：前垂れ紐通し穴
８ａ，８Ａ：縫い合わせ面                  ２２：前垂れ下留め
９：鞘受け                                ２３：フック
１０：鞘受け装着板                        ２６：バックル
１１：鞘受けの鞘受け面                    ２７：ハト目留め金具
１２：上下位置選択穴                      ３０：下帯固定用前垂れ
【図１】
0003172484.tif 000003
【図２】
0003172484.tif 000004
【図３】
0003172484.tif 000005
【図４】
0003172484.tif 000006
【図５】
0003172484.tif 000007
【図６】
0003172484.tif 000008
【図７】
0003172484.tif 000009
【図８】
0003172484.tif 000010
【図９】
0003172484.tif 000011
【図１０】
0003172484.tif 000012
【図１１】
0003172484.tif 000013
【図１２】
0003172484.tif 000014
【図１３】
0003172484.tif 000015
【図１４】
0003172484.tif 000016
【図１５】
0003172484.tif 000017